(57)【要約】【課題】  本発明は、軽量かつ製作が容易であることに加えて、前記操作板に直接作用する押圧力に対しても係合解除を防止することのできるロック機構付きバックルを提供することを目的とするものである。【解決手段】  バックルの操作板の上部を移動可能なスライド片がバックル本体に設置され、該スライド片が連結軸上にあるときは前記スライド片の端部が天井枠に設けた切欠き部に嵌合し、この状態でバンドはバックルに接近自在であるが後退不能とされ、前記嵌合を解除し前記スライド片を操作板の一端部側に移動した状態では前記操作板の揺動が規制され、前記操作板の他端部側に移動した状態では前記係合が解除される。【選択図】図１
2013103033.tif 000002
【特許請求の範囲】
【請求項１】
バンド外表面に形成した鋸歯状の係合溝にバックルの係合爪を係合可能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する操作板とから構成され、該操作板を中間点にて前記両側板を結ぶ連結軸で支承することにより該中間点を支点として揺動自在としたバックルにおいて、
前記操作板の上部を移動可能なスライド片が前記バックル本体に設置され、前記バックルの内側に前記スライド片の移動をガイドするスライドガイドが設けられ、
前記スライド片が前記連結軸上にあるときは前記スライド片の端部が前記天井枠に設けた切欠き部に嵌合し、この状態でバンドはバックルに接近自在であるが後退不能とされ、
前記嵌合を解除し前記スライド片を前記操作板の一端部側に移動した状態では前記操作板の揺動が規制され、前記操作板の他端部側に移動した状態では前記係合が解除されることを特徴とするバックル。
【請求項２】
前記スライド片が弾性を有し、自身の弾性変形により前記嵌合および嵌合解除を可能とした請求項１記載のバックル。
【請求項３】
前記スライド片が前記連結軸上から前記操作板の一端部側または他端部側に移動する際、該スライド片が前記天井枠側から前記底板側に向かって下がるように前記スライドガイドに傾斜面を形成した請求項１記載のバックル。
【請求項４】
前記切欠き部の端面が前記スライド片の対向辺に傾斜面をもって対向し、該傾斜面の角度を前記底板に近づくに従って前記切欠き部と前記スライド片との隙間が拡がるように形成された請求項１〜３のいずれかに記載バックル。
【請求項５】
前記スライド片の端面が前記切欠き部の対向辺に傾斜面をもって対向し、該傾斜面の角度を底板に近づくに従って前記スライド片と前記切欠き部との隙間が狭まるように形成された請求項１〜３のいずれかに記載のバックル。
【請求項６】
前記スライド片上にスライド操作部を設けた請求項１〜５のいずれかに記載のバックル。
【請求項７】
前記スライド操作部が前記バンドとバックルを片手の指先で引き寄せることのできる掛止部としての役割も果たすことを特徴とする請求項６記載のバックル。
【発明の詳細な説明】
【技術分野】
【０００１】
この発明は、係合溝を有するバンドまたはベルトを係止するためのバックルに関し、特に、運動靴、競技用靴、スノーボード靴、プロテクター係止ベルトなど、比較的強い締結力を必要とする製品のためのバックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作板の係合・解除における操作性を良くする為に操作板を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
また、本発明者らは、特許第４００５１０９号（特許文献２）において、特に服飾品等の用途として好適なバンドとバックルのスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作板に対して、該掛止突起以外の部分に垂直方向の押圧力が直接作用するのを規制する部材がバックル本体に設けられたものを提案している。
【０００５】
このスライドアジャスタには規制部材が設けられているので、不用意なまたは突発的なロック解除の虞はないものの、前記押圧部または掛止突起に直接作用する押圧力に対しては、ロック解除を防止することはできない。また、前記バックルをバンドから引き抜く際には、前記押圧部を押圧しながら前記バックルを引き抜かなければならないので、操作が煩雑であるという問題があった。
【先行技術文献】
【特許文献】
【０００６】
【特許文献１】特許第３９８２９５５号公報
【特許文献２】特許第４００５１０９号公報
【発明の概要】
【発明が解決しようとする課題】
【０００７】
本発明は、軽量かつ製作が容易であることに加えて、前記操作板に直接作用する押圧力に対しても係合解除を防止することのできるロック機構付きバックルを提供することを目的とするものである。
また、本発明は、スライド片の操作のみで容易に係合ロックおよび係合解除を可能とし、かつ、スライド片の位置が定まる機構を備えることにより確実な操作性を実現することを目的とするものである。
【課題を解決するための手段】
【０００８】
本発明は、バンド外表面に形成した鋸歯状の係合溝にバックルの係合爪を係合可能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する操作板とから構成され、該操作板を中間点にて前記両側板を結ぶ連結軸で支承することにより該中間点を支点として揺動自在としたバックルにおいて、前記操作板の上部を移動可能なスライド片が前記バックル本体に設置され、前記バックルの内側に前記スライド片の移動をガイドするスライドガイドが設けられ、前記スライド片が前記連結軸上にあるときは前記スライド片の端部が前記天井枠に設けた切欠き部に嵌合し、この状態でバンドはバックルに接近自在であるが後退不能とされ、前記嵌合を解除し前記スライド片を前記操作板の一端部側に移動した状態では前記操作板の揺動が規制され、前記操作板の他端部側に移動した状態では前記係合が解除されることを特徴とする。
【０００９】
前記スライド片が弾性を有し、自身の弾性変形により前記嵌合および嵌合解除を可能としたことが好ましい。
前記スライド片が前記連結軸上から前記操作板の一端部側または他端部側に移動する際、該スライド片が前記天井枠側から前記底板側に向かって下がるように前記スライドガイドに傾斜面を形成したことが好ましい。
【００１０】
前記切欠き部の端面が前記スライド片の対向辺に傾斜面をもって対向し、該傾斜面の角度を前記底板に近づくに従って前記切欠き部と前記スライド片との隙間が拡がるように形成されたことが好ましい。
前記スライド片の端面が前記切欠き部の対向辺に傾斜面をもって対向し、該傾斜面の角度を底板に近づくに従って前記スライド片と前記切欠き部との隙間が狭まるように形成されたことが好ましい。
【００１１】
前記スライド片上にスライド操作部を設けたことが好ましい。
前記スライド操作部が前記バンドとバックルを片手の指先で引き寄せることのできる掛止部としての役割も果たすことが好ましい。
【発明の効果】
【００１２】
本発明のバックルは、前記操作板に直接作用する押圧力に対しても係合解除を防止することができる。また、スライド片の操作のみで容易に係合ロックおよび係合解除を可能とし、かつ、スライド片を所望の位置で固定することができる。さらに、スライド片が連結軸上にあるときはスライド片の作用により、バンドはバックルに接近自在であるが後退不能とされるので、連結軸を弾性のある素材で形成したり、連結軸にバネを用いたりする必要がなく、連結軸の素材を自由に選択してより強度の高いバックルを提供することができる。
従って、このバックルは運動靴等の比較的強い締結力を必要とする製品への適用が最適である。
【図面の簡単な説明】
【００１３】
【図１】バックル１０の斜視図である。
【図２】バックル１０とバンド３０の係合状態を示す要部縦断側面図である。
【図３】バックル１０の他の実施形態を示す斜視図である。
【図４】バックル１０の別の実施形態を示す要部縦断側面図である。
【図５】バックル１０のさらに別の実施形態を示す要部縦断側面図である。
【発明を実施するための形態】
【００１４】
以下、本発明に係るロック機構付きバックルの実施形態を図面に基づいて説明する。
図１はバックル１０の斜視図であり、これらの図において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する係合溝を有するバンド３０の挿通空間１６となる。
【００１５】
本実施形態では、底板１１の長手方向（バンドのスライド方向）の長さを天井枠１２の長手方向の長さよりも長くすることにより、バックル１０の被接続体（即ち、運動靴用バンド等）への取付を容易にすると共に、バンドの挿通がスムーズに行われるようにすることができる。また、天井枠１２を偏平な板で構成することによっても同様の効果を得ることができる。
【００１６】
天井枠１２の内側には、その内に納まる大きさの操作板２０が水平に設置される。操作板２０の一端部２０Ａの下面には、バンド３０の係合溝に係合可能な係合爪２１（後記図２を参照。）を突設している。操作板２０は天井枠１２より若干低位置とすることにより、操作板２０の一端部２０Ａまたは他端部２０Ｂが不用意に押し下げられることを防止することができる。
【００１７】
操作板２０の長手方向の中間部には、連結軸２５が形成され、この連結軸２５は各側板１３、１３の上部内壁に支承されている。
この実施形態では連結軸２５の断面を矩形としたが、円形、楕円形、その他種々の断面形状とすることができる。連結軸２５は操作板２０を揺動自在に軸支すると共に、滑らかな操作性を確保する為に可及的に細くすることが望まれるが、反復的な揺動により破損しない形状、大きさとすれば良い。
【００１８】
バックル本体１４には、操作板２０の上部を水平方向に移動可能な弾性を有するスライド片４０が設置される。本実施形態においてスライド片は矩形の形状としたが、必ずしも矩形でなくとも良い。
スライド片４０の表面には、スライド操作部４２が上方に突出して設けられている。スライド操作部４２の形状に格別の制限はなく、片手の指先を引っ掛けることのできる形状であれば良い。スライド操作部４２はスライド片４０に必ずしも設ける必要はないが、これを設けることによりスライド片４０のスライド操作を容易とすることができると共に、後記するようにバンド３０とバックル１０を片手で引き寄せるための掛止部としての役割も果たすことができる。
【００１９】
また、バックル１０の内側にはスライド片４０の移動をガイドするためのスライドガイド１８、１８が設けられている。本実施形態において、スライドガイド１８、１８をバックル１０の側板１３、１３からバックル１０の内側に水平に張出す棚として形成したが、スライド片４０のスムーズな移動をガイドできるものであればスライドガイド１８の形状等に格別の制限はない。
【００２０】
続いて、上記バックル１０の作用について図２を参照しながら説明する。図２（１）はバックル１０とバンド３０の係合状態を示す要部縦断側面図である。
図２（１）において、バックル１０の挿通空間１６内にバンド３０が挿入され、バンド３０の外表面に形成された係合溝３１に、バックル１０の係合爪２１が係合している。係合溝３１はスライド方向の断面形状が鋸歯状、即ち、バンド３０の進行方向に向けて漸次深くなるテーパ面と、この最深位置より略垂直に立上る壁面とからなっている。
【００２１】
スライド片４０が連結軸２５上に位置するときは、スライド片４０はその弾性により上方に湾曲し、該スライド片４０の長手方向の両端部が前記天井枠１２に設けられた切欠き部１７、１７に嵌合する。この結果、スライド片４０の位置が固定され、不用意にスライド片４０が移動することによる誤作動を防ぎ、安全性に優れたバックル１０を提供することが可能となる。また、スライド片４０の位置が固定された状態にあるため、スライド片４０上のスライド操作部４２がバンドとバックルを片手の指先で引き寄せるための掛止部としての役割も果たすことが可能となる。本実施形態において切欠き部１７を左右対称に２つ設けたが、切欠き部１７は必ずしも２つ必要ではなく、いずれか一方が設けられていれば良い。
【００２２】
この状態でバンド３０を操作板２０の他端部２０Ｂ側（図２において左側）の挿通口１５から挿通空間１６内に進入させていくと、バンド３０の上面が操作板２０の係合爪２１に接触して、操作板２０の一端部２０Ａを押し上げながら前進し（図２（２）を参照。）、バックル１０に対するバンド３０の接近・離隔位置が調節される。
この状態では、図２（１）に示すように、係合爪３１が所定の係合溝１２と噛み合って係止しているので、バンド３０はバックル１０に対して進出自在であるが、後退不能である。
【００２３】
次に、本発明のスライド片によるロック機構について説明する。
前記の通り図２（１）はバンド３０の係合溝３１とバックル１０の係合爪２１との係止状態を示しているが、このときスライド片４０は連結軸２５上に位置しており、操作板２０の他端部２０Ｂに垂直方向の押圧力が作用すると前記係合が解除される。
ここで、図１（２）に示すようにスライド片４０を上方から垂直方向に押圧して水平状態にすれば、スライド片４０と前記切欠き部１７との嵌合が外れ、スライド片４０が天井枠１２の下方を移動可能となる。続いて、図１（３）に示すようにスライド片４０を操作板２０の一端部２０Ａ側にスライドガイド１８、１８に沿って移動させれば、スライド片４０により操作板２０の回転が規制されることになり、この状態では他端部２０Ｂは押されても動かない。また、スライド片４０の弾性により、スライド片４０の上面が天井枠１２の下面を押し上げる力が作用するため、スライド片４０の位置が固定され、他端部２２Ｂのロック状態が維持される（図２（３）参照。）。
【００２４】
本実施形態において、スライド片４０の下面が操作板２０の一端部２０Ａの上面に当接するように設定したが、スライド片４０の下面は操作板２０の一端部２０Ａの上面に必ずしも当接しなくても良く、ロック状態におけるスライド片４０の下面と操作板２０の一端部２０Ａの上面との距離は、係合爪２１が係合溝３１から外れない程度に操作板２０の回転が規制される長さとすれば良い。
【００２５】
次に、バックル１０からバンド３０を後退させたり、引き抜いたりするには、図１（２）に示すようにスライド片４０を上方から垂直方向に押圧して、スライド片４０の両端部と切欠き部１７、１７との嵌合を外しつつ、図１（４）に示すようにスライド片４０を操作板２０の他端部２０Ｂ側にスライドガイド１８、１８に沿って移動させれば、図２（４）に示すように、連結軸２５を中心として操作板２０が回転する結果、反対側に位置するする係合爪２１が持ち上がり、係合爪２１が係合溝３１から外れるので、バンド３０を自由にスライドさせることができる。この状態において、スライド片４０の弾性によりスライド片４０の上面が天井枠１２の下面を押し上げる力が作用するため、スライド片４０の位置が固定される。
スライド片４０を連結軸２５上にスライドさせれば、スライド片４０は自身の弾性により湾曲した状態に復帰し、操作板２０は元の水平状態に復帰する。
【００２６】
バックル１０の他の実施形態について図３を参照しながら説明する。
この実施形態では、図３（１）に示すようにスライド片４０上のスライド操作部４２が凹状に設けられる他、天井枠１２が操作板２０の端部側に近づくに従ってその表面積が徐々に大きくなるように設定されている。このため、スライド片４０を操作板２０の一端部２０Ａまたは他端部２０Ｂ側にスライドガイド１８、１８に沿って移動させたときは（図３（２）、（３）参照。）、天井枠１２の下面がスライド片４０の上面を押さえつける力が強くなる。
従って、より大きな弾性を有するスライド片４０を採用することが可能となり、スライド片４０の位置をより強固に固定することができる。
【００２７】
バックル１０の別の実施形態について図４を参照しながら説明する。図４はこの実施形態を示す要部縦断側面図である。
本実施形態では、図４（１）に示すように切欠き部１７、１７の端面がスライド片４０の対向辺に傾斜面１７Ａをもって対向し、該傾斜面１７Ａの角度を底板１１に近づくに従って前記切欠き部１７、１７と前記スライド片４０との隙間が拡がるように形成されている。このため、スライド片４０が切欠き部１７、１７に嵌合した状態から、スライド片４０に水平方向の力を加えれば、スライド片４０が傾斜面１７Ａに沿って天井枠１２側から底板１１方向に移動して前記嵌合が外れる（図４（２）、（３）参照。）。
【００２８】
従って、弾性を有するスライド片４０を用いた場合に、スライド片４０を上方から垂直方向に押圧することなく、スライド片４０を操作板２０の一端部２０Ａ側または他端部２０Ｂ側に移動することが可能となる。また、図４（４）に示すように前記スライド片４０の端面が切欠き部１７、１７の対向辺に傾斜面１７Ｂをもって対向し、該傾斜面の角度を底板１１に近づくに従って前記スライド片４０と前記切欠き部１７、１７との隙間が狭まるように形成しても同様の効果が得られる。
【００２９】
本実施形態において、弾性を有するスライド片４０を用いる場合、スライド片４０が連結軸２５上から操作板２０の一端部２０Ａ側または他端部２０Ｂ側に移動するに従って、スライド片４０が湾曲状態から水平状態に変形するため、スムーズにスライド片４０が移動できるようにスライドガイド１８、１８を前記変形に合わせた形状とすることが好ましい。具体的には、２つのスライドガイド１８、１８の距離が連結軸２５から操作板２０の一端部２０側および他端部側２０Ｂに向かうに従って拡がるように形成すると良い。
【００３０】
続いて、バックル１０のさらに別の実施形態について図５を参照しながら説明する。図５はこの実施形態を示す要部縦断側面図である。
本実施形態では、スライド片４０が連結軸２５上から操作板の一端部２０Ａ側または他端部２０Ｂ側に移動する際、該スライド片４０が天井枠１２側から底板１１側に向かって下がるようにスライドガイド１８、１８に傾斜面１８Ａが形成されている。このため、スライド片４０が切欠き部１７、１７に嵌合した状態から、スライド片４０に水平方向の力を加えれば、スライド片４０が傾斜面１８Ａに沿って天井枠１２側から底板１１方向に移動して前記嵌合が外れる。
従って、これまで説明した実施形態とは異なり、弾性を有するスライド片４０を用いる必要はなく、スライド片４０を金属製とすることも可能となる。
【００３１】
バックル１０の素材に格別の制限はないが、連結軸２５を金属製としてその他の部分を合成樹脂により成型することにより、軽量かつ強度の高いバックル１０を提供することが可能となる。
【００３２】
本発明において天井枠１２は、必ずしも四辺を備えたものに限られない。操作板２０の一端部２０Ａと対向する一辺または／および操作板２０の他端部２０Ｂと対向する一辺については、バックルを軽量化、小型化する場合には、これを省略することができる。
【００３３】
本発明のバックル１０には、前記した特許文献１および特許文献２に開示した要素を取り入れることができる。例えば、連結軸２５の代わりに操作板２０の上縁部と天井枠１２の上部とを連結する連結辺（図示せず。）を用いても良い。
また、操作板２０を水平状態に復元し易くするために操作板２０の一端部２０Ａと対向する天井枠１２等とを連結した連結部材（図示せず。）を設けても良い。更に、挿通空間１６にはバンド３０の浮き上がりを防止するためのバンド押え（図示せず。）を設けることも可能である。
【符号の説明】
【００３４】
１０    バックル
１１    底板
１２    天井枠
１３    側板
１４    バックル本体
１６    挿通空間
１７    切欠き部
１８    スライドガイド
２０    操作板
２０Ａ  操作板の一端部
２０Ｂ  操作板の他端部
２１    係合爪
２５    連結軸
３０    バンド
３１    係合溝
４０    スライド片
４２    スライド操作部
【図１】
2013103033.tif 000003
【図２】
2013103033.tif 000004
【図３】
2013103033.tif 000005
【図４】
2013103033.tif 000006
【図５】
2013103033.tif 000007